(57)【要約】ここに開示したのは組立式花鉢ブロックであり、簡潔な方式で組み付けることができ、所定期間の根巻き作業を行うことができ、かくして、移植しようとする植物を簡便に移動できるので、移植過程に移植しようとする植物を地面に植える手間を省き、植物の移植地への移動中に移植しようとする植物の根の損傷を防止する。また、前記組立式花鉢ブロックは、その中に任意のサイズの植物を植えられる花鉢として機能することもできる。上記の利点を達成するために前記組立式花鉢ブロックに含まれるのは、そのそれぞれが第１端部に組付け凸部（１４）を有し、前記第１端部の反対側に設けられている第２端部に組付け凹部（１２）を有するので、別のブロック体の組付け凸部を前記組付け凹部に挿入できるようになっており、給水孔（２２）が上部分に形成されており、水をその上部に設けられた貯水槽（２０）内に導入できるようになっており、さらに、その内面に複数の排水孔（２４）が形成されている４つのブロック体（１０）と、前記ブロック体の組付け凸部（１４）と組付け凹部（１２）とに設けられた連結孔（１６）に挿入され、前記ブロック体の組み付け後に前記ブロック体を確実に連結する結合具（３６，３６ａ，３６ｂ）と、である。【選択図】図１
2009533050.tif 000002
【特許請求の範囲】
【請求項１】
組立式花鉢ブロックであって、そのそれぞれが第１端部に組付け凸部（１４）を有し、前記第１端部の反対側に設けられている第２端部に組付け凹部（１２）を有するので、別のブロック体の組付け凸部（１４）を前記組付け凹部に挿入できるようになっており、給水孔（２２）が上部分に形成されており、水をその上部に設けられた貯水槽（２０）内に導入できるようになっており、さらに、その内面に複数の排水孔（２４）が形成されている４つのブロック体（１０）と、前記ブロック体の組付け凸部（１４）と組付け凹部（１２）とに設けられた連結孔（１６）に挿入され、前記ブロック体の組み付け後に前記ブロック体（１０）を確実に連結する結合具（３６，３６ａ，３６ｂ）と、を具備することを特徴とする組立式花鉢ブロック。
【請求項２】
前記ブロック体（１０）が、前記排水孔（２４）の下で水平方向に突出するとともに、前記組立式花鉢ブロックを花鉢として機能させる支持凸部（３４）を有し、複数の排水孔（３２）を有する底板（３０）が前記支持凸部（３４）に載置されることを特徴とする請求項１に係る組立式花鉢ブロック。
【請求項３】
前記ブロック体（１０）が矩形板形状または湾曲形状を有するので箱形状や円筒形状を形成することができ、パターン板（４０）を、前記排水孔（２４）が設けられている表面と反対側のその外面に取り付けることができることを特徴とする請求項１に係る組立式花鉢ブロック。
【請求項４】
請求項１に係る組立式花鉢ブロックであって、前記ブロック体（１０）が、その中に挿入孔（６２）を有する補助体（６０）を有するので、前記組立式花鉢ブロックがフォークリフトトラックを用いて移動される際にフォークリフトトラック（７０）のフォーク（７２）を前記挿入孔に挿入できるようになっており、前記補助体が前記ブロック体に統合されていることを特徴とする組立式花鉢ブロック。
【請求項５】
請求項１に係る組立式花鉢ブロックであって、前記ブロック体（１０）が車輪（９６ａ）を有するので、前記組立式花鉢ブロックが地面上を移動できるようになっていることを特徴とし、前記車輪（９６ａ）がローラーブラケット（９４ａ）に回転自在に連結され、該ブラケットが連接棒（９２ａ）を介して前記結合具（３６ａ）の下端部分に接続され、該連接棒が挿入方式で前記結合具の下端部分と接合されることを特徴とする組立式花鉢ブロック。
【請求項６】
前記ブロック体（１０）が粗い底面を有する支持板（９６ｂ）を有するので、前記ブロック体の傾斜度を調整することができ、地面に固定することもるようになっていることを特徴とし、回転体が前記支持板（９６ｂ）の中心部分に設けられ、前記回転体が、ネジ方式で連接棒（９２ｂ）を介して前記結合具（３６ｂ）の下端部分に回転自在に接続されることを特徴とする請求項１に係る組立式花鉢ブロック。
【請求項７】
組立式花鉢ブロックであって、開口上端部を有する１つのブロックを作る４つの側面としての役割を果たすので、植物または物体を前記ブロックに挿入できるようになっている４つのブロック体（１０）と、前記４つのブロック体の下端部に設けられた底板（３０）と、を具備し、前記４つのブロック体が単体に組み込まれるか、または分離された状態で組み付けられていることを特徴とし、前記ブロック体の前側ブロック体が額縁挿入部分（４６）を有するので、照明額縁（４４）が前記額縁挿入部分に挿入配置され、広告物（４２）が前記照明額縁に設けられた発光素子によって照明されることを特徴とする組立式花鉢ブロック。
【請求項８】
請求項７に係る組立式花鉢ブロックであって、前記前側ブロック体（１０）が、前記額縁挿入部分（４６）に挿入された前記照明額縁（４４）の分離を防止する分離防止バー（４８）をその中に統合して有し、前記分離防止バー（４８）が、そのそれぞれの端部分差込継手端部（２６）を有するので、挿入方式で前記額縁挿入部分（４６）のそれぞれの側縁部分に形成された凹部（２８）に着脱自在に固定することができるようになっているか、または前記照明額縁が別の連結手段（３６）を用いて固定されていることを特徴とする組立式花鉢ブロック。
【請求項９】
前記ブロック体（１０）が分離された状態で連結されて１つのブロックを作る場合、前記ブロック体の第１端部に配置された組付け凸部（１４）と、前記ブロック体の第２端部に配置された組付け凹部（１２）と、が接合差込継手方式で接合され、その接合部が結合具によって確実に固定されることを特徴とし、前記ブロック体の組立形態である前記ブロックが箱形状または円筒形状をなすことを特徴とする請求項７に係る組立式花鉢ブロック。
【発明の詳細な説明】
【技術分野】
【０００１】
本発明は、移植鉢としても通常の植木鉢としても機能する組立式花鉢ブロックに関するものであり、特に、樹木や花などの植物を、その根を損傷することなしに簡便に移植できるように容易に組み立てられており、植物を一旦地盤土壌に植えてから、その移植場所に植え替えるという作業なしに根巻き作業を行うことが可能なようになっている組立式花鉢に関するものである。つまり、前記組立式花鉢ブロックは、植物を移植する際に植物を地盤土壌に植えたり、地盤土壌から取り出したりする手間を省き、植物の根を破損する危険を排除することができる。また、前記組立式花鉢ブロックは、植物のサイズに制限されることなく、さまざまな植物をその中に植えられるような通常の花鉢としての役割を果たすこともできる。
【背景技術】
【０００２】
都市的生活様式が広がるにつれて、土壌に触れる機会は減少し、園芸を楽しんだり樹木や花などの植物を育てたりすることが困難になっている。さらに、アパートの住人が野菜畑や庭を持つことはなおさら困難である。よって、そのような状況においては、人々は花鉢を利用する植栽によって満足を得る傾向にある。
【０００３】
環境向上や遮音など、さまざまな目的のため、樹木などの植物が庭や歩道に沿って植えられることは一般的になっている。この場合、山のような自然地域やプランテーション農園で掘り上げられた植物は、植物の根を成長させて根圏の形成を助長するため、移植地に移植される前に所定期間にわたって所定の場所に植えられることによって根巻きされているので、移植後に独自に生存することができるようになっている。
【０００４】
つまり、自然地域で掘り上げられたほとんどの植物は掘り上げ直後に移植されずに、一旦所定の場所に植えられ、１年またはそれ以上にわたって根巻きが行われる。掘り上げられた植物の根は土壌に囲まれているので、かかる場所で再び自然に成長させることができる。所定期間（１年またはそれ以上）の経過後、前記植物は再び掘り上げられ、移植地に移植されなければならない。この過程で植物の根が損傷する可能性は高い。
【０００５】
よって、作業者が高度に熟練している場合でさえも、植物の根を健康に維持することには問題があり困難であるが、前記植物は、所定期間の根巻き後に移動移植されている。さらに、冬季に凍結した地盤から植物を収集することはより困難であり、植物の掘り上げ中に植物の破損する危険も大きい。しかしながら、かかる危険や困難にもかかわらず、植物が自然地域から掘り上げられ、異なる場所に植えられることにより、所定期間にわたって根巻きされてから、最終移植地に移動移植されるという移植過程は、今までには他の代替法がなかったために一般的であった。よって、作業者が高度に熟練している場合でさえも、植物を掘り上げ、その植物を根巻き地に植え替え、その植物をその根を損傷することなしに再度掘り上げ、さらに移植地に植え替える、という問題や困難がある。
【発明の開示】
【発明が解決しようとする課題】
【０００６】
よって、本発明は当該問題点と状況に鑑みて考案されたものであり、本発明の特徴は、その根を損傷させないで掘り上げられた植物の根を収容するように簡潔かつ容易な方式で組み付けることができ、前記植物を安全に移動することができ、前記植物の植え替え時の問題を排除することができ、一定期間の根巻き後、再び掘り上げられる際に植物の根が破損する危険を排除することができ、移植過程を簡略化することができ、かくして、移植しようとする植物を保護することができる組立式花鉢ブロックを提供することである。
【０００７】
本発明の別の特徴は、輸送しようとする植物を地面に植える代わりに、単に地面に載置することによって管理することができ、一定期間の根巻き中に成長させられる植物の根を損傷することなしに安全に移動することができ、使用が簡便であり、前記植物を健康な状態に維持する機能を持ち、さらに、組み付け方法を変えることによって、その中に収容できる植物のサイズ制限がない花鉢に機能を拡張することが可能な組立式花鉢ブロックを提供することである。
【０００８】
本発明のさらなる特徴は、単体に組み付けられるかまたは組み込まれることができる複数のブロック体のおかげで、その中に植物を収容する空間を提供することができ、広告材料や販促資料を額縁形式でそのブロック体の前側に着脱自在に取り付けることができる組立式花鉢ブロックを提供できることである。よって、前記組立式花鉢ブロックは広告機能も花鉢機能も果たす。前記広告材料は、ほとんど電力を消費せずにさまざまな色を表示することができ、前記組立式花鉢ブロックの機能とデザインを向上させるため、必要に応じて特注できる照明額縁として実装される。
【課題を解決するための手段】
【０００９】
従来の技術で遭遇するさまざまな問題を解決するためと、上記の本発明の効果と特徴を達成するために、本発明に従って、組立式花鉢ブロックが提供される。該組立式花鉢ブロックが具備するものは、前記組立式花鉢ブロックの４つの側面としての役割を果たす４つのブロック体であって、そのそれぞれが第１端部に組付け凸部を有し、前記第１端部の反対側にある第２端部に他のブロック体の組付け凸部に挿入できる組付け凹部を有し、該ブロック体の上端部に形成されて該ブロック体の上部に設けられた貯水槽内に水を導入できるようになっている給水孔２２を有し、さらに、該ブロック体の内面に形成された複数の排水孔を有することを特徴とする４つのブロック体と、前記ブロック体の組付け凸部と組付け凹部とに設けられた連結孔に挿入され、前記ブロック体の組み付け後に前記ブロック体を確実に連結することができる結合具と、である。また前記ブロック体には、前記組立式花鉢ブロックが花鉢として機能できるように、前記排水孔の下に、その内面から水平方向に突出する支持凸部を設けてもよく、前記支持凸部には底板を配置してもよい。
【００１０】
前記ブロック体は矩形板形状または湾曲形状を有することも可能なので、前記ブロック体がその中に植物を収容するように組み付けられる際に箱形状や円筒形状を形成することもでき、パターン板をその外面（前記排水孔が設けられている表面と反対側の面）に取り付けることもできる。前記ブロック体は挿入孔を有する補助体を有することも可能なので、前記組立式花鉢ブロックがフォークリフトトラックによって移動される際にフォークリフトトラックの脚部を前記挿入孔に挿入することもでき、前記排水孔の下で前記補助体を前記ブロック体に組み込むこともできる。前記ブロック体は車輪を有することも可能なので、前記組立式花鉢ブロックは地面上を移動することもでき、そこでは、各車輪は、差込継手方式で前記結合具の下端部分と接合される連接棒を介して前記結合具の下端部分に接続されるローラーブラケットと回転自在に連結されることを特徴とする。前記ブロック体は、その底面が粗い支持板を有することも可能なので、前記ブロック体の傾斜度を調整することもでき、さらに地面に固定することもでき、そこでは、回転体が前記支持板の中心部分に設けられ、前記回転体がネジ方式で連接棒を介して前記結合具の下端部分に回転自在に接続されることを特徴とする。
【００１１】
本発明の別の態様によれば、広告機能を持つ組立式花鉢ブロックが提供され、該組立式花鉢ブロックは、１つのブロックを作る４つの側面としての役割を果たすとともに、開口上端部を有して植物やその他の物体を挿入できるようになっている４つのブロック体と、前記４つのブロック体の下端部に設けられる底板と、を具備し、前記４つのブロック体が単体に統合されるか、または分離された状態で組み付けられることを特徴とし、前記ブロック体の前側ブロック体が額縁挿入部分を有し、照明額縁が前記額縁挿入部分に挿入配置され、該額縁内では、広告材料が前記照明額縁に設けられた発光素子によって照明されることを特徴とする。
【００１２】
前記前側ブロック体は、前記額縁挿入部分に挿入された前記照明額縁の分離を防止する分離防止バーをその中に統合することも可能であり、前記分離防止バーはそのそれぞれの端部分に差込継手端部を有することも可能なので、それを前記額縁挿入部分のそれぞれの側縁部分に形成された凹部に差込継手方式で着脱自在に固定することも、前記照明額縁を別の連結手段を用いて固定することもできる。前記ブロック体が分離された状態で、連結されて１つのブロックを作る場合、前記ブロック体の第１端部に配置された組付け凸部と前記ブロック体の第２端部に配置された組付け凹部とは差込継手方式で接合され、その接合は結合具によって確実に固定され、その場合、前記ブロック体の組立形態である前記ブロックは箱形状または円筒形状をなす。
【発明の効果】
【００１３】
本発明によれば、前記組立式ブロック体は移植しようとする樹木や花などの植物に対して簡潔かつ容易な方式で組み付けることができ、移植しようとする植物をその根を損傷することなしに簡便に移動することができ、一定期間の根巻きのため一旦地面に植えることなしに移植地に移植することができる。よって、移植過程で一定期間の根巻き中に前記植物を地面に植えたり、一定期間の根巻き後に前記植物を地面から掘り上げたりする手間を省くことが可能である。その結果、植物の根の破損を防止することもできる。
【００１４】
従来の移植過程では、植物周囲の土壌が膨張するので、前記土壌は雨水や灌漑水によって洗い流されてしまうが、本発明によれば、土壌が植物の根の周囲から洗い流される危険がなく、本発明に係る組立式花鉢ブロック内の植物は定期的に前記組立式花鉢体内に組み込まれた貯水槽内に貯蔵された水の供給を受ける。よって、前記植物は安全確実に保護され得る。
【００１５】
前記組立式花鉢ブロックは任意のサイズの植物を保持できる花鉢としての役割を果たすことができる。よって、前記組立式花鉢ブロックは、新概念に基づいた創造的な花鉢ブロックとしての役割を果たせることが期待でき、悪条件下においてすら、地盤条件の制限なしに植物の移植に役立ち、植物を保護でき、さらに植物を健康に保てるという利点を提供することができる。
【００１６】
前記組立式花鉢ブロックは広告機能も花鉢機能も持つ。その理由は、単体に組み付けられるかまたは組み込まれることができる複数のブロック体に空間を提供でき、その中に植物を収容することができ、広告材料や販促資料を額縁形式でその前側ブロック体に着脱自在に取り付けることができるためである。前記広告材料は、わずかな電力でさまざまな色を表示する照明額縁として実装される。その結果、その機能とデザインを向上させることができる。よって、前記組立式花鉢ブロックは、都市空間や屋内空間の外観を向上させることができる花鉢機能を持つとともに、魅力のある広告媒体としても利用できる。
【００１７】
さらに、前記組立式花鉢ブロックのサイズが変更されて縮小される場合、前記組立式花鉢ブロックは植物の代わりに小物を収容できる小物ブロックとしての役割を果たすこともできる。さらに、前記組立式花鉢ブロックは、植物が植えられ、前記照明額縁が前記組立式花鉢ブロックの前方取り付けられた状態で装飾品として使用することもできる。
【発明を実施するための最良の形態】
【００１８】
図１は、本発明の基本的実施形態に係る移植用組立式花鉢ブロックを図示する図である。前記組立式花鉢ブロックが具備するのは、４つの側面を有し、組付け凸部１４をその端部に有し、組付け凹部１２をその反対端に有し、それを介して水が貯水槽２０に流れ込む給水孔２２をその上端部に有し、その側面に形成され、反対側のブロック体方向を向く複数の排水孔２４を有し、前記組付け凹部１２と前記組付け凸部１４とに形成された連結孔１６を有するブロック体１０と、さらに、前記ブロック体１０を連結して固定する前記組付け凹部１２と前記組付け凸部１４とに形成された前記連結孔１６に挿入される結合具３６（３６ａ，３６ｂ）とである。
【００１９】
移植過程では、図９に示すように、移植しようとする樹木５０は直立され、前記組立式花鉢ブロックが単に前記樹木５０の根を包むように組み付けられるので、前記樹木５０が別の場所に輸送される前に地盤土壌に植えられる場合でも、前記樹木５０の根は土壌中にあり続けることができるようになっている。基本的に、４つのブロック体１０は、１つのブロックユニットを形成するように差込継手方式で４つの側面を有する額縁状または円筒状に組み付けられる。よって、前記ブロックユニットの断面は矩形状または円形状である。前記ブロック体１０は基本的に同一構造を有し、各ブロック体はそれぞれの端部に前記組付け凹部１２と前記組付け凸部１４とを有し、差込継手方式で組み付けられるようになっている。
【００２０】
図５で説明するように、前記組立式花鉢ブロックの各ブロック体は中空体であり、その中の上部分に貯水槽２０を有し、その上端部分には給水孔２２を有するので、前記貯水槽２０内に水を導入できるようになっており、その下部分には複数の排水孔２４が定間隔で形成されており、前記貯水槽２０内に貯蔵された水を前記組立式花鉢ブロックに植えられた植物５０に徐々に供給できるようになっている。その結果、植物の根５０を健康な状態で成長させることができる。
【００２１】
植物が最終移植場所に移植される前に根を保護してその成長を助長するため、一定期間の根巻きが必要とされる場合、図９に示すように、一般的な移植方法に従って、箱状体が、移植しようとする植物の根とその根を覆う土壌とを収容するように組み付けられ、前記植物はそのまま、つまり前記箱状体に植えられたままで移植される場所に移動され、次いで前記植物はその移植場所に植え替えられる。しかし、本発明によれば、一般的な移植方法とは異なり、前記組立式花鉢ブロックは地面に載置され、水が前記ブロック体１０に形成された前記給水孔２２を介して植物に供給される。よって、移植期間中に移植しようとする植物の安全を簡便に保つことができる。
【００２２】
前記組立式花鉢ブロックが利用されると、図７に示すように、前記植物５０が自然地域または所定の場所から掘り上げられた直後に根巻き作業または植物の植え替え作業が行われる場合、かかる作業は、前記植物５０を土壌中に植える必要なしに前記組立式花鉢ブロックを単に土壌に載置するだけという簡潔な方式で、容易かつ簡便に行うことができる。また、前記組立式花鉢ブロックは通常の花鉢として機能することもできる。さらに、前記組立式花鉢ブロック内の植物５０をそのまま地盤土壌中に植えることも可能である。この時点で、前記組立式花鉢ブロックは解体される。この場合、植物の根が安全に保たれていること及び前記組立式花鉢ブロック内で成長していることを確認することができる。
【００２３】
［実施形態］
前記組立式花鉢ブロックが利用される際、図８に示すように、底板３０が４つの側面で前記ブロック体１０の下端部分に追加されるので、前記組立式花鉢ブロックを簡潔な方式で花鉢として利用することができる。つまり、図２に示すように、前記ブロック体１０が前記排水孔２４の下に支持凸部３４を有し、その中に排水孔を有する底板３０が前記支持凸部３４に載置されるので、前記組立式花鉢ブロックは花鉢としての役割を果たすことができるようになる。
【００２４】
さらに、図３または図１１に示すように、移植しようとする植物が非常に大きいかまたは長い根を有する場合、複数の組立式花鉢ブロック（各ブロックは４つのブロック体で構成される）を積み重ねることで、前記組立式花鉢ブロックの全高を増加させることができる。
【００２５】
なおもさらに、前記組立式花鉢ブロックに植物の特徴や植物のニーズを明記する記述が提供される場合、図６に示すように、パターン板４０が前記組立式花鉢ブロックの外面、例えば、前記排水孔２４が形成される表面の反対側に取り付けられる。この場合、機能性と装飾効果が向上される。
【００２６】
図１２に示すように、前記組立式花鉢ブロックには、フォークリフトトラックを用いて前記組立式花鉢ブロックを容易に移動することを可能にするため、そのそれぞれの側面に２つの挿入孔６２を有する補助体６０が含まれる。前記補助体６０は、前記排水孔２４の下で前記ブロック体１０の下部分に連結される。前記組立式花鉢ブロックが移動される際、フォークリフトトラック７０の脚部７２は前記補助体６０の挿入孔６２を介して挿入されるので、前記植物５０がその中に入れられた状態で前記組立式花鉢ブロックを容易かつ簡便に移動することができる。
【００２７】
図１３に示すように、前記組立式花鉢ブロックは、植物が植えられ、土壌または苔で覆われている花鉢８０を囲むように組み付けることができる。この構造のおかげで、鉢を標準化することが可能であり、前記鉢のスタイルを向上させることができる。未説明の参照符号８２は、従来の花鉢８０の下端部分に設けられた排水孔を示す。
【００２８】
本発明に係る組立式花鉢ブロックはさまざまな変更形態で使用することができる。例えば、図１４に示すように、前記組立式花鉢ブロックはその底部に車輪９６を有することも可能なので、地面上を容易に移動することができる。この場合、前記結合具３６ａは、本発明の基本的実施形態に係る組立式花鉢ブロックに設けられた結合具３６とは異なり、切り出し方法によって形成され、その下端部分に配置される連結凹部３８ａを有する。連接棒９２ａは差込継手する方式で前記連結凹部３８ａと接合される。ローラーブラケット９４ａに回転自在に連結される前記車輪９６ａは、移動手段としての前記連接棒９２を介して前記結合具３６ａに連結される。
【００２９】
図１５に示すように、前記組立式花鉢ブロックは、その傾斜角度が調整可能であり、その底部に鋸歯状の凸凹形状を有する支持板９６ｂを有することも可能なので、前記組立式花鉢ブロックはその摩擦力のために傾斜地面でも滑らない。
【００３０】
前記支持板９６ｂの傾斜角度を調整するため、前記支持板９６は、前記支持板９６ｂの中心上端部分から突出する回転端部９８ｂがヒンジ方式で支持体９４ｂの中心部分と回転自在に接合され、前記支持体９４ｂの上面から突出する連接棒９２ｂがその上部分に螺条を有し、前記連接棒９２ｂの上部分が、前記結合具３６ｂとは異なりネジ方式で結合具の下端部分に設けられた前記連結凹部３８ｂと安定的に連結されているという構造を有する。
【００３１】
前記組立式花鉢ブロックは、広告機能も植物移植機能も持てるように変更することができる。
【００３２】
図１６と図１７に示すように、前記組立式花鉢ブロックは基本的に４つのブロック体１０を具備し、各ブロック体はそれぞれ前記組立式花鉢ブロックの１側面を形成する。分離された状態の前記ブロック体１０は組み立てて単一体にすることができ、その組立構造は前記結合具３６によって確実に固定される。底板３０は前記組立ブロック体１０の下端部分に連結されるので、前記組立構造の上端部分のみが開口部となる。特に、前記組立式花鉢ブロックの前側としての役割を果たす１つのブロック体１０は、広告機能を提供するため、その中に照明額縁４４を収容するように額縁挿入部分４６を有する。
【００３３】
つまり、前記前側ブロック体１０は、所定の厚さを有する板を用いてその後部分でのみ閉じられ、その前方には前記額縁挿入部分４６を有し、照明額縁４４を前記額縁挿入部分４６に挿入配置することができるようになっている。この場合、前記組立式花鉢ブロックは分離防止バー４８を前記前側ブロック体１０の前方上部分に有するので、前記照明額縁は前記額縁挿入部分内に安定して収容され、前記額縁挿入部分４６から分離しないようになっている。前記分離防止バー４６は差込継手方式で前記前側ブロック体１０と連結することができる。前記分離防止バーは前記前側ブロック体１０に組み込むことができる。
【００３４】
さらに、前記分離防止バー４８は、前記前側ブロック体１０に組み込むことも、前記前側ブロック体１０に分離された状態で供することもできるので、前記照明額縁４４を上部分からの方向で前記照明額縁挿入部分４６に挿入できるようになっているが、前記照明額縁挿入部分４６は代替方式で考案することもできる。つまり、前記前側ブロック体１０は前記分離防止バー４８を有さないが、前記照明額縁を前記組立式花鉢ブロックの前方からの方向で入れることができる空間を有する。前記照明額縁は、それが前記照明額縁挿入空間内に収容された後に前記組立式花鉢ブロックの前方からの方向で、追加結合具を用いて固定することができる。
【００３５】
あるいは、前記前側ブロック体１０は前記照明額縁挿入部分４６を有することも可能であるが、前記側面ブロック体と後側ブロック体は単純な板状である。前記側面ブロック体と前記後側ブロック体は、各ブロック体の第１縁部の中間部分に設けられた前記組付け凸部と各ブロック体の第２縁部の中間部分に設けられた前記組付け凹部とを用いて差込継手方式で組み付けられ、それによって、その上端部に開口部を有する箱状の花鉢ブロックが形成される。前記箱状の花鉢ブロックの下端部は追加底板３０によって閉じられる。
【００３６】
広告機能を持つ前記組立式花鉢ブロックの場合、前記組立式花鉢ブロックが小型サイズの底板を有することも可能なので、前記４側面のブロックは所定の高さ分引き上げできるようになっている。この種の組立式花鉢ブロックは、電源ケーブル８４に接続できる構造を有することも、バッテリーパックを装備する構造を有することも可能であり、前記前側ブロック体１０の照明額縁挿入部分４６に固定された前記照明額縁４４を点滅させることができる。
【００３７】
前記前側ブロック体１０に連結され、前記組立式花鉢ブロックを構成する前記分離防止バー４８は、好ましくは、前記額縁挿入部分４６と圧入方式で接合できるような方法で設けられる。あるいは、前記分離防止バー４８は、前記額縁挿入部分４６にさまざまな方式で着脱自在に取り付けることもできる。
【００３８】
前記照明額縁４０は一般的に使用されている基本装置を利用することができる。つまり、複数の発光装置（ＬＥＤ）が実装される回路基板が片側に配設され、導光板がその後側に配設され、広告物４２を有する透過板がその前側に設けられ、前記回路基板、前記導光板及び前記透過板は連結されて額縁形状を形成するが、前記額縁に組み込まれた前記広告物４２に照明効果を与えることができるさまざまな広告手段を使用することもできる。
【００３９】
さらに、図１８に示すように、本発明に係る組立式花鉢ブロックの基本構造は、その中に植物を収容する、ブロック体１０ａ，１０ｂから形成された鉢であるが、本発明に係る組立式花鉢ブロックは、その中にアクセサリーやさまざまな物体を収容するアクセサリーブロックとしての役割を果たすこともでき、その場合、前記ブロック体１０のサイズは縮小される。
【産業上の利用可能性】
【００４０】
上記のように、本発明によれば組立式花鉢ブロックが提供される。該組立式花鉢ブロックは、簡潔な方式で組み付けることができ、所定期間にわたって根巻きを行うことができ、植物の移動に簡便なので、移植過程で移植しようとする植物を地面に植える手間を省き、植物の移植地への移動中にその根の損傷を防止する。また、前記組立式花鉢ブロックは、その中に任意のサイズの植物を植えられる花鉢として機能することもできる。
【図面の簡単な説明】
【００４１】
【図１】図１は、未組立状態の、本発明の好適な実施形態に係る組立式花鉢ブロックを図示する図である。
【図２】図２は、未組立状態で底板付きの、本発明の変更形態に係る組立式花鉢ブロックを図示する図である。
【図３】図３は、図１に示した組立式花鉢ブロックを図示する図であって、前記組立式花鉢ブロックが組み付けられ、かつ積み重ねられた状態を図示する図である。
【図４】図４は、曲面を有し未組立状態の、本発明の別の実施形態に係る組立式花鉢ブロックを図示する図である。
【図５】図５は、本発明に係る組立式花鉢ブロックの主要部であるブロック体の詳細構造を図示する図である。
【図６】図６は、ブロック体に取り付けられたパターン板を有する前記組立式花鉢ブロックを図示する図であって、前記組立式花鉢ブロックが使用されている状態を図示する図である。
【図７】図７は、花鉢としての役割を果たす前記組立式花鉢ブロックを図示する図であって、使用され、かつ植物が植えられている状態を図示する図である。
【図８】図８は、底板付きで、その中に植物が植えられている状態の前記組立式花鉢ブロックを図示する断面図である。
【図９】図９は、その中に植物が植えられている状態の前記組立式花鉢ブロックを図示する断面図である。
【図１０】図１０は、補助体が下に設けられ、かつブロック体と組み合わされている状態の、本発明の別の変更形態に係る組立式花鉢ブロックを図示する分解図である。
【図１１】図１１は、図１０に示した積み重ねられた状態の組立式花鉢ブロックを図示する断面図である。
【図１２】図１２は、図１０に示した組立式花鉢ブロックの使用法の一例を図示する図であって、前記組立式花鉢ブロックがフォークリフトを用いて移動されている状態を図示する図である。
【図１３】図１３は、前記組立式花鉢ブロックの使用法の別の一例を図示する図であって、その中に樹木が植えられている状態の鉢が前記組立式花鉢ブロック内に収容されている状態を図示する図である。
【図１４】図１４は、本発明のさらに別の変更形態に係る組立式花鉢ブロックを図示する分解図であって、前記組立式花鉢ブロックの１つには回転可能な底板が含まれ、他の１つには着脱可能な底板が含まれている状態を図示する図である。
【図１５】図１５は、本発明のさらに別の変更形態に係る組立式花鉢ブロックを図示する分解図であって、前記組立式花鉢ブロックの１つには回転可能な底板が含まれ、他の１つには着脱可能な底板が含まれている状態を図示する図である。
【図１６】図１６は、本発明のなおもさらなる変更形態に係る組立式花鉢ブロックを図示する図であって、その１つの組立式花鉢ブロックが（組み付けられた状態の広告機能を持ち、その他の１つが未組立状態の照明額縁を有する状態を図示する図である。
【図１７】図１７は、本発明のなおもさらなる変更形態に係る組立式花鉢ブロックを図示する図であって、その１つの組立式花鉢ブロックが（組み付けられた状態の広告機能を持ち、その他の１つが未組立状態の照明額縁を有する状態を図示する図である。
【図１８】図１８は、図１６に示した組立式花鉢ブロックの使用状態を図示する図であって、前記組立式花鉢ブロックが広告機能を持ち、その中に花が植えられている状態を図示する図である。
【図１】
2009533050.tif 000003
【図２】
2009533050.tif 000004
【図３】
2009533050.tif 000005
【図４】
2009533050.tif 000006
【図５】
2009533050.tif 000007
【図６】
2009533050.tif 000008
【図７】
2009533050.tif 000009
【図８】
2009533050.tif 000010
【図９】
2009533050.tif 000011
【図１０】
2009533050.tif 000012
【図１１】
2009533050.tif 000013
【図１２】
2009533050.tif 000014
【図１３】
2009533050.tif 000015
【図１４】
2009533050.tif 000016
【図１５】
2009533050.tif 000017
【図１６】
2009533050.tif 000018
【図１７】
2009533050.tif 000019
【図１８】
2009533050.tif 000020
【国際調査報告】
2009533050.tif 000021
2009533050.tif 000022